(57)【要約】      （修正有）【課題】操作の時、より簡単で力が入りやすく、かつより利便性がよく、部品の使用寿命や耐久性を延ばすことができる、出水制御構造を提供する。【解決手段】噴水装置１０に設けられるハンドル２０、ハンドル２０に設けられるガイド部３０、該ガイド部３０に対応してハンドル２０に設けられるスイッチ４０、及び噴水装置１０に設けられる一弾性フレーム５０を備えてなり、該弾性フレーム５０の自由端部には、ガイド部３０と連動されるガイドバー５１が設けられ、スイッチ４０、ガイド部３０と弾性フレーム５０の三者間の連動関係によって、ハンドル２０を連続的に繰り返し押すと、循環動作の機能が働いており、それに噴水装置１０の出水の仕方を変えるように設けられている。【選択図】図２
0003203721.tif 000002
【実用新案登録請求の範囲】
【請求項１】
出水制御構造であって、
噴水装置（１０）に設けられるハンドル（２０）を備えてなり、該ハンドル（２０）の前方底部に穿設穴（２１）が設置され、ハンドル（２０）内に設けられるガイド部（３０）を備えてなり、該ガイド部（３０）の少なくともの一側面には一ガイドブロック（３３）があり、該ガイドブロック（３３）の周縁に導入斜面（３４）、止り溝（３５）及びバックガイド面（３６）が順次に設けられており、該導入斜面（３４）と止り溝（３５）との間は、曲がり角（３７）でつなぐようになっており、穿設穴（２１）の中に設けられるスイッチ（４０）を備えてなり、ハンドル（２０）に対応する該スイッチ（４０）は開放位置と閉鎖位置を有し、該スイッチ（４０）の内側には、少なくともの一ガイドブロック（３３）のほうへ突き出して設けられた、少なくともの一突出ピン（４２）があり、該突出ピン（２２）の数量はガイドブロック（３３）の数量とペアになるよう配置され、該突出ピン（４２）は選択的に閉鎖して、導入斜面（３４）と止り溝（３５）の間にある通路に設けられており、噴水装置（１０）に設けられる少なくともの一弾性フレーム（５０）を備えてなり、その中、少なくとも一弾性フレーム（５０）の自由端部は内側に曲がって、ガイド部（３０）と連動されるガイドバー（５１）が設けられ、該導入斜面（３４）は、少なくともの一弾性フレーム（５０）のガイドバー（５１）に対応するように設けられていることを特徴とする出水制御構造。
【請求項２】
該穿設穴（２１）の両側にはそれぞれ、同軸の接続穴（２２）があり、該スイッチ（４０）の両側の中央部にはそれぞれ突き出された中軸（４１）があり、該中軸（４１）はそれぞれ、それに対応する接続穴（２２）を穿設され、スイッチ（４０）はハンドル（２０）に設けられるようにし、ハンドル（２０）に対して、シーソーのような動きが行われるように設けられていることを特徴とする請求項１に記載の出水制御構造。
【請求項３】
該スイッチ（４０）の頂部と底部にはそれぞれ、第一突縁（４３）と第二突縁（４４）が設けられ、該第一突縁（４３）と第二突縁（４４）はそれぞれ、選択的に穿設穴（２１）の周縁に嵌め込まれるように設けられていることを特徴とする請求項１または２に記載の出水制御構造。
【請求項４】
該ハンドル（２０）の底面にはスロット（２３）、穿設穴（２１）内縁の上方には突き出されたフック（２４）があり、該ガイド部（３０）の底部と頂部にはそれぞれ係止突縁（３１）と弾性板（３２）があり、該係止突縁（３１）と弾性板（３２）はそれぞれ、ハンドル（２０）のスロット（２３）とフック（２４）が相互に嵌め込まれるように設けられていることを特徴とする請求項１または２に記載の出水制御構造。
【請求項５】
該ハンドル（２０）の底面にはスロット（２３）、穿設穴（２１）内縁の上方には突き出されたフック（２４）があり、該ガイド部（３０）の底部と頂部にはそれぞれ、係止突縁（３１）と弾性板（３２）があり、該係止突縁（３１）と弾性板（３２）はそれぞれ、ハンドル（２０）のスロット（２３）とフック（２４）が相互に嵌め込まれるように設けられていることを特徴とする請求項３に記載の出水制御構造。
【考案の詳細な説明】
【技術分野】
【０００１】
本考案は制御構造に関わり、噴水装置の出水制御構造のオリジナルな構造形態に関する。
【背景技術】
【０００２】
従来の噴水装置の出水制御構造は設計上、長時間出水に切り換えられる場合、放水銃本体後端にある部位への調整、操作を行うことで、片手で行うことができないという欠点があるため、業界では、握り部の押しによる出水モードの切替機能を有するもう一つの従来の構造形態が開発された。
【０００３】
上述された出水モードの切替機能を有する従来の構造形態にあっては、噴水装置のハンドルの底部に切替装置を設けるための穴が設置され、該切替装置はガイドスロットとガイドブロックとバックルを備えてなり、該ガイドブロックはバックルと連動するように設けられ、該バックルを通じてガイドブロックを上下に移動させ、それによって、該ガイドブロックのガイドスロット及び噴水装置内の入水管にある弾性ラインの位置合わせか位置ずれかを制御して、ハンドルの切り替えを行い、ガイドスロットの導きに従って行われるという二重制御機能が働いている。
【０００４】
但し、前段落で述べられた従来の噴水装置の出水制御構造形態は実際の使用経験によると、次のような問題点があると分かった。該バックルが上下に移動しているとき、ガイドブロックを同時に移動させるように設けられており、該ガイドブロックの体積と重さは、通常、バックルのより大きいので、一定な荷重がかかることから、ユーザが指で力を入れてバックルを動かそうとするとき、過剰な抵抗が生じる場合が多く、使いにくくなり、うまく行われないという欠点があるほかに、該ガイドブロックとバックルは移動中、摩擦力の大きさで生じられる磨耗や損壊などが起こりやすく、耐久性が悪いなどの問題点や欠点もある。
【０００５】
それで、関連業界では、上述した問題点を改良して、スイッチによる出水切替機能を有するもう一つの従来の構造形態を開発、該スイッチは穿設穴の中で、上下に繰り返してスライドさせられるように設けられ、スライドしている間、該スイッチの第一突縁は貫通穴の側縁に突き当てているから、比較的に大きな摩擦力が生じて、第一突縁が早く磨耗されてしまいがちで、更に直接に第一突縁によるスイッチの選択的な位置決め機能にマイナスな影響を及ぼしてしまうこと、それに、ユーザが該噴水装置を握っているとき、スイッチの第一突縁と穿設穴の孔壁の間に生じる磨擦力に対して、指で力を入れて対抗するのが難しく、他方の手で操作する場合、水が止められずに、あちこちに噴出されて、自分まで濡れてしまう恐れがあること。
【０００６】
それゆえ、上述したような従来の構造に存在する問題点について、どのように、より理想的で実用性のあるオリジナルな構造を開発するのが、ユーザが望むことで、関連業者が努力して開発する目標と方向でもある。
【０００７】
それに鑑みて、考案者は関連製品の製造開発や設計に携わる長年の経験を持っており、上述した目標について、詳しく設計を行い、慎重に評価したうえ、ようやく実用性のある本考案を得られたわけである。
【考案の概要】
【考案が解決しようとする課題】
【０００８】
本考案は、噴水装置に用いられるための出水制御構造を提供することを目的とし、解決しようとする技術的課題は、より理想的で実用性のある、低摩擦・低磨耗性のオリジナルな構造形態を開発することにある。
【課題を解決するための手段】
【０００９】
本考案の課題を解決しようとする技術特徴として、噴水装置に設けられるハンドルを備えてなり、該ハンドルの前方底部に穿設穴が設置され、ハンドル内に設けられるガイド部を備えてなり、該ガイド部の少なくともの一側面には、三角形ブロック状のガイドブロックがあり、該ガイドブロックの周縁に導入斜面、止り溝及びバックガイド面が順次に設けられており、該導入斜面と止り溝との間は、曲がり角でつなぐようになっており、穿設穴の中に設けられるスイッチを備えてなり、ハンドルに対応する該スイッチは開放位置と閉鎖位置を有し、該スイッチの内側には、少なくともの一ガイドブロックのほうへ突き出して設けられた、少なくともの一突出ピンがあり、該突出ピンの数量はガイドブロックの数量とペアになるように配置され、噴水装置に設けられる少なくともの一弾性フレームを備えてなり、その中、少なくともの一該弾性フレームの自由端部は内側に曲がって、ガイド部と連動されるガイドバーが設けられ、該導入斜面は、少なくともの一弾性フレームのガイドバーに対応するように設けられており、そこで、スイッチが閉鎖位置にある場合、該突出ピンの先端が該ガイドブロックの曲がり角に近づいて、導入斜面と止り溝の間の通路を閉鎖するように設けられ、スイッチが開放位置にある場合、該突出ピンの先端がガイドブロックの曲がり角上方の間隔位置へと移動して、導入斜面と止り溝の間の通路が通じるように設けられていることを特徴とする該出水制御構造。
【００１０】
このようなオリジナルな設計による本考案は背景技術に対して、該スイッチが上下に移動するのは固定式ガイド部を動かず、単独に作動されるように設けられているから、操作の時、より簡単で力が入りやすく、かつより利便性がよく行われるという長所があること、スイッチが穿設穴の周縁に設けられているから、スイッチの作動時に生じる摩擦力を最小限に抑えられ、部品の使用寿命や耐久性を延ばすことができるという実用性、進歩性及び好適な産業上利用性があること。
【考案の効果】
【００１１】
本考案に掲示された「出水制御構造」は、該ハンドル、ガイド部、スイッチ、弾性フレームなどからなるオリジナルな構造形態と技術特徴を有しており、本考案は背景技術に述べられた従来の構造に対して、該固定式ガイド部はハンドルに位置決められ、該スイッチが上下に移動するのは固定式ガイド部を動かず、単独に作動されるように設けられているから、従来の構造のスイッチに過大な荷重がかかるという欠点を解決することが可能なこと、本考案の構造形態により、操作の時、より簡単で力が入りやすく、かつより利便性がよく行われるという長所があること、その上、スイッチは穿設穴の周縁に設けられることによって、スイッチの作動時に生じる摩擦力を最小限に抑えられ、噴水装置を握っている手の指先で押して、操作しやすくなると同時に、第一突縁（第一突縁と第二突縁）の磨耗を低減させ、部品の使用寿命や耐久性を延ばすことができるという実用性、進歩性及び好適な産業上利用性があること。
【図面の簡単な説明】
【００１２】
【図１】本考案を噴水装置に設けられたときの側面図である。
【図２】本考案の立体分解図である。
【図３】本考案の立体透視図である。
【図４】本考案の連続動作イメージである。
【図５】本考案の連続動作イメージである。
【図６】本考案の連続動作イメージである。
【図７】本考案の連続動作イメージである。
【図８】本考案の連続動作イメージである。
【図９】本考案の第二実施形態の立体外観図である。
【図１０】本考案の第二実施例の側面透視図である。
【考案を実施するための形態】
【００１３】
図１〜図４に示すのは、本考案の出水制御構造の好適な実施例で、本考案を明確でかつ十分に明示するため、本考案の属する技術分野の通常知識を有する者に、本考案の内容を理解してもらい、実施されるものとし、次は本考案を噴水装置に設けられたときの使用状況から、本考案について説明するが、これらの実施例は説明のみに用いられるもので、特許出願の際、これらの構造に制限されないものとする。噴水装置１０に設けられるハンドル２０、ハンドル２０に設けられるガイド部３０、該ガイド部３０に対応してハンドル２０に設けられるスイッチ４０、及び噴水装置１０に設けられる少なくともの一弾性フレーム５０を備えてなり、少なくとも一該弾性フレーム５０の自由端部は内側に曲がって、ガイド部３０と連動されるガイドバー５１が設けられ、スイッチ４０、ガイド部３０と弾性フレーム５０の三者間の連動関係によって、ハンドル２０を連続的に繰り返し押すと、循環動作の機能が働き、更に  噴水装置１０に突き出された出水スイッチ１１と連動して、噴水装置１０の出水の仕方を変えるように設けられていることを特徴とする該出水制御構造。
【００１４】
該ハンドル２０の前方底部に穿設穴２１が設置され、該穿設穴２１の両側にはそれぞれ、同軸の接続穴２２があり、該ハンドル２０の底面にはスロット２３、穿設穴２１内縁の上方には突き出されたフック２４がある。
【００１５】
該ガイド部３０の底部と頂部にはそれぞれ係止突縁３１と弾性板３２があり、該係止突縁３１と弾性板３２はそれぞれ、ハンドル２０のスロット２３とフック２４が相互に嵌め込まれ、該ガイド部３０の位置決めが行われるようになっており、該ガイド部の少なくともの一側面には、三角形ブロック状のガイドブロックがあり、該ガイドブロックの周縁に導入斜面、止り溝及びバックガイド面が順次に設けられており、該導入斜面３４は少なくともの一該弾性フレーム５０のガイドバー５１に対応し、該導入斜面３４と止り溝３５との間は、曲がり角３７でつなぐようになっており、本考案の好適な実施例では、ハンドル２０の作動時、その両側にかかる力を均等的にするため、該ガイド部３０の両側面にも、同一構造のガイドブロック３３が設けられており、弾性フレーム５０の数量もそれに対応してペアになり、かつ相互に連結してＵ形の構造体に設けられている。
【００１６】
該スイッチ４０の両側の中央部にはそれぞれ突き出された中軸４１があり、該中軸４１はそれぞれ、それに対応する接続穴２２を穿設され、スイッチ４０はハンドル２０に設けられるようにし、ハンドル２０に対して、該スイッチ４０はシーソーのような往復動作が行われるように設けられ、それに開放位置と閉鎖位置を有してなり、該スイッチ４０の内側には、少なくともの一ガイドブロック３３のほうへ突き出して設けられた、少なくともの一突出ピン４２があり、該突出ピン２２の数量はガイドブロック３３の数量とペアになるよう配置され、該スイッチ４０の頂部と底部にはそれぞれ、第一突縁４３と第二突縁４４が設けられ、該第一突縁４３と第二突縁４４はそれぞれ、選択的に穿設穴２１の周縁に嵌め込まれ、該スイッチ４０が一時的に位置決められるように設けられている。
【００１７】
上述した構造、組合せによる該出水制御構造の設置によって、ハンドル２０押しの切替を行っているとき、弾性フレーム５０のガイドバー５１が順次に該固定式ガイド部３０にあるガイドブロック３１の周縁に従って導かれて、動くように設けられている。その機能は図４〜図８に示すように、スイッチ４０の下縁を押して、スイッチ４０の第二突縁４４を穿設穴２１の下周縁に嵌め込ませたとき、該スイッチ４０が開放位置にあり、突出ピン４２の先端がガイドブロック３３の曲がり角３７上方の間隔位置に移動するが、そこで、導入斜面３４と止り溝３５の間の通路が開放されるようになっており、この時、該ハンドル２０を押すと、弾性フレーム５０のガイドバー５１がガイドブロック３３に接触して、導入斜面３４へと入り、そして弾力的に上がり、曲がり角３７を経て、更に下へと進み、該止り溝３５に一時的に止まり、長時間出水モードに設けられており、そこで、該ハンドル２０をもう一度押すと、弾性フレーム５０のガイドバー５１が更に下へと進み、該バックガイド面３６を経て、導入斜面３４に対応した高さのところに戻り、それが止水モードになる、という循環形式に設けられている。スイッチ４０の上縁を押して、第一突縁４３を穿設穴２１の上周縁に嵌め込ませたとき、該スイッチ４０が閉鎖位置にあり、スイッチ４０が下向きに振れて、閉鎖位置に来たとき、該突出ピン４２の先端が該ガイドブロック３３の曲がり角３７に近づくようになり、そこで、導入斜面３４と止り溝３５の間の通路が閉鎖されるようになっており、この時、ハンドル２０を押すと、弾性フレーム５０のガイドバー５１が導入斜面３４を通ってから、曲がり角３７を通って、下へと進むことはできないように設けられており、ハンドル２０が外向きに跳ね返ると、弾性フレーム５０のガイドバー５１がまた導入斜面３４を経て戻ってくるが、そこで、ハンドル２０の操作がもとの状態に戻って行われる（図４）が、即ち、それを押したときは出水、離したときは止水になる。
【００１８】
図９〜図１０に示すのは本考案の第二実施例であり、本実施例にあっては、該噴水装置１０Ａは平らに地面に置かれ、本考案の操作は、ユーザがそれを踏むように行われている。本実施例では  本考案と同じく、噴水装置１０Ａに設けられるハンドル２０Ａ、ハンドル２０Ａに設けられるガイド部３０、該ガイド部３０に対応してハンドル２０Ａに設けられるスイッチ４０、及び噴水装置１０Ａに設けられる少なくともの一弾性フレーム５０を備えてなり、取付  方法とハンドル２０Ａの外観は上述の第一実施例のとはやや異なったところがあるが、それ以外の構造や操作方法は上述の第一実施例のと同様で、第二実施例は壁に固定されてもよく、ユーザは直接に手で押したりして操作することができる。
【符号の説明】
【００１９】
１０、１０Ａ      噴水装置
１１      出水スイッチ
２０、２０Ａ      ハンドル
２１      穿設穴
２２      接続穴
２３      スロット
２４      フック
３０      ガイド部
３１      係止突縁
３２      弾性板
３３      ガイドブロック
３４      導入斜面
３５      止り溝
３６      バックガイド面
３７      曲がり角
４０      スイッチ
４１      中軸
４２        突出ピン
４３      第一突縁
４４        第二突縁
５０      弾性フレーム
５１      ガイドバー
【図１】
0003203721.tif 000003
【図２】
0003203721.tif 000004
【図３】
0003203721.tif 000005
【図４】
0003203721.tif 000006
【図５】
0003203721.tif 000007
【図６】
0003203721.tif 000008
【図７】
0003203721.tif 000009
【図８】
0003203721.tif 000010
【図９】
0003203721.tif 000011
【図１０】
0003203721.tif 000012